(57)【要約】【課題】個人が所有する複数の種類のデータの管理を容易なものにするとともに、それらのデータの安全性を十分に確保する。【解決手段】複数の電子機器のそれぞれは、データを取得すると、データと、データの所有者がデータの内容を判別可能に指定したデータ情報と、当該所有者を識別する識別子とをサーバへ送信し、サーバは、複数の電子機器のそれぞれから送信されたデータとデータ情報と識別子とを受信すると、受信したデータとデータ情報と識別子とを対応付けて記憶し、複数の電子機器のそれぞれは、識別子をサーバへ送信し、サーバは、複数の電子機器のそれぞれから送信された識別子を受信すると、受信した識別子に対応付けられたデータ情報を当該電子機器へ送信し、複数の電子機器のそれぞれは、サーバから送信されたデータ情報を受信すると、受信したデータ情報を表示部に表示させる。【選択図】図１
2013137667.tif 000002
【特許請求の範囲】
【請求項１】
データを取得することが可能であり、表示部を備えた複数の電子機器と、該複数の電子機器と接続可能なサーバとを有するデータ管理システムであって、
前記複数の電子機器のそれぞれは、データを取得すると、該データと、該データの所有者が該データの内容を判別可能に指定したデータ情報と、当該所有者を識別する識別子とを前記サーバへ送信し、
前記サーバは、前記複数の電子機器のそれぞれから送信されたデータとデータ情報と識別子とを受信すると、該受信したデータとデータ情報と識別子とを対応付けて記憶し、
前記複数の電子機器のそれぞれは、前記識別子を前記サーバへ送信し、
前記サーバは、前記複数の電子機器のそれぞれから送信された識別子を受信すると、該受信した識別子に対応付けられたデータ情報を当該電子機器へ送信し、
前記複数の電子機器のそれぞれは、前記サーバから送信されたデータ情報を受信すると、該受信したデータ情報を前記表示部に表示させるデータ管理システム。
【請求項２】
請求項１に記載のデータ管理システムにおいて、
前記サーバは、前記受信したデータに基づき、該データの種類を判定し、前記受信したデータとデータ情報と識別子とともに、前記判定した種類を示すデータ種別を対応付けて記憶し、その後、前記複数の電子機器のそれぞれから送信された識別子を受信すると、該受信した識別子に対応付けられたデータ情報とデータ種別とを当該電子機器へ送信し、
前記複数の電子機器のそれぞれは、前記サーバから送信されたデータ情報とデータ種別とを受信すると、該受信したデータ情報を、前記受信したデータ種別が示す種類毎に前記表示部に表示させるデータ管理システム。
【請求項３】
請求項２に記載のデータ管理システムにおいて、
前記データの種類には、少なくとも動画像データ、静止画像データおよび音声データが含まれるデータ管理システム。
【請求項４】
データを取得することが可能であり、表示部を備えた複数の電子機器と、該複数の電子機器と接続可能なサーバとを有するデータ管理システムにおけるデータ管理方法であって、
前記複数の電子機器のそれぞれが、データを取得すると、該データと、該データの所有者が該データの内容を判別可能に指定したデータ情報と、当該所有者を識別する識別子とを前記サーバへ送信する処理と、
前記サーバが、前記複数の電子機器のそれぞれから送信されたデータとデータ情報と識別子とを受信する処理と、
前記サーバが、前記受信したデータとデータ情報と識別子とを対応付けて記憶する記憶処理と、
前記複数の電子機器のそれぞれが、前記識別子を前記サーバへ送信する処理と、
前記サーバが、前記複数の電子機器のそれぞれから送信された識別子を受信する処理と、
前記サーバが、前記受信した識別子に対応付けられたデータ情報を当該電子機器へ送信する送信処理と、
前記複数の電子機器のそれぞれが、前記サーバから送信されたデータ情報を受信すると、該受信したデータ情報を前記表示部に表示させる表示処理と、を有するデータ管理方法。
【請求項５】
請求項４に記載のデータ管理方法において、
前記サーバが、前記受信したデータに基づき、該データの種類を判定する処理をさらに有し、
前記記憶処理は、前記サーバが、前記受信したデータとデータ情報と識別子とともに、前記判定した種類を示すデータ種別を対応付けて記憶する処理であり
前記送信処理は、前記サーバが、前記受信した識別子に対応付けられたデータ情報とデータ種別とを当該電子機器へ送信する処理であり、
前記表示処理は、前記複数の電子機器のそれぞれが、前記サーバから送信されたデータ情報とデータ種別とを受信すると、該受信したデータ情報を、前記受信したデータ種別が示す種類毎に前記表示部に表示させる処理であるデータ管理方法。
【請求項６】
請求項５に記載のデータ管理方法において、
前記データの種類には、少なくとも動画像データ、静止画像データおよび音声データが含まれるデータ管理方法。
【発明の詳細な説明】
【技術分野】
【０００１】
本発明は、複数の種類のデータを管理するデータ管理システムおよびデータ管理方法に関する。
【背景技術】
【０００２】
近年、情報をデジタル処理する電子機器の増加にともない、個人が所有するデータの種類が非常に多くなってきている。個人が所有するデータの種類としては例えば、動画像データ、静止画像データ、音声データ等がある。これら複数の種類のデータは、パーソナルコンピュータや、携帯電話機やタブレット端末等の携帯端末、テレビジョン装置等、様々な電子機器に記憶されている。そのため、データの管理は、煩雑なものになりがちである。
【０００３】
なお、配信する対象となる複数の映像データを管理するための技術が例えば、特許文献１に開示されている。
【先行技術文献】
【特許文献】
【０００４】
【特許文献１】特開平９−２１４９３５号公報
【発明の概要】
【発明が解決しようとする課題】
【０００５】
上述した特許文献１に開示されている技術は、事業者を対象としたものであり、複数の個人のそれぞれが所有するデータの管理に適用することは難しい。
【０００６】
また、パーソナルコンピュータや、携帯端末等の電子機器が備える記憶装置（ハードディスクドライブ、メモリ等）の耐性は、十分に高いとはいえない。そのため、これらの電子機器を落下させたりした場合、記憶装置が破壊されてデータを消失させてしまう可能性がある。また、これらの電子機器を紛失してしまった場合も、やはりデータを消失させてしまうことになる。
【０００７】
つまり、個人が所有するデータは、安全性が十分に確保されていないという問題点がある。
【０００８】
本発明は、個人が所有する複数の種類のデータの管理を容易なものにするとともに、それらのデータの安全性を十分に確保することを可能にするデータ管理システムおよびデータ管理方法を提供することを目的とする。
【課題を解決するための手段】
【０００９】
上記目的を達成するために本発明のデータ管理システムは、データを取得することが可能であり、表示部を備えた複数の電子機器と、該複数の電子機器と接続可能なサーバとを有するデータ管理システムであって、
前記複数の電子機器のそれぞれは、データを取得すると、該データと、該データの所有者が該データの内容を判別可能に指定したデータ情報と、当該所有者を識別する識別子とを前記サーバへ送信し、
前記サーバは、前記複数の電子機器のそれぞれから送信されたデータとデータ情報と識別子とを受信すると、該受信したデータとデータ情報と識別子とを対応付けて記憶し、
前記複数の電子機器のそれぞれは、前記識別子を前記サーバへ送信し、
前記サーバは、前記複数の電子機器のそれぞれから送信された識別子を受信すると、該受信した識別子に対応付けられたデータ情報を当該電子機器へ送信し、
前記複数の電子機器のそれぞれは、前記サーバから送信されたデータ情報を受信すると、該受信したデータ情報を前記表示部に表示させる。
【００１０】
また、上記目的を達成するために本発明のデータ管理方法は、データを取得することが可能であり、表示部を備えた複数の電子機器と、該複数の電子機器と接続可能なサーバとを有するデータ管理システムにおけるデータ管理方法であって、
前記複数の電子機器のそれぞれが、データを取得すると、該データと、該データの所有者が該データの内容を判別可能に指定したデータ情報と、当該所有者を識別する識別子とを前記サーバへ送信する処理と、
前記サーバが、前記複数の電子機器のそれぞれから送信されたデータとデータ情報と識別子とを受信する処理と、
前記サーバが、前記受信したデータとデータ情報と識別子とを対応付けて記憶する記憶処理と、
前記複数の電子機器のそれぞれが、前記識別子を前記サーバへ送信する処理と、
前記サーバが、前記複数の電子機器のそれぞれから送信された識別子を受信する処理と、
前記サーバが、前記受信した識別子に対応付けられたデータ情報を当該電子機器へ送信する送信処理と、
前記複数の電子機器のそれぞれが、前記サーバから送信されたデータ情報を受信すると、該受信したデータ情報を前記表示部に表示させる表示処理と、を有する。
【発明の効果】
【００１１】
本発明は以上説明したように構成されているので、個人が所有する複数の種類のデータの管理を容易なものにするとともに、それらのデータの安全性を十分に確保することを可能となる。
【図面の簡単な説明】
【００１２】
【図１】本発明のデータ管理システムの実施の一形態の構成を示すブロック図である。
【図２】図１に示したテレビジョン装置の一構成例を示すブロック図である。
【図３】図１に示した携帯電話機の一構成例を示すブロック図である。
【図４】図１に示したサーバの一構成例を示すブロック図である。
【図５】図４に示した情報記憶部が備えるテーブルの一構成例を示す図であり、（ａ）はユーザ管理テーブルの一構成例を示す図、（ｂ）はデータ管理テーブルの一構成例を示す図である。
【図６】図１〜図５に示したデータ管理システムの動作を説明するためのフローチャートであり、（ａ）はデータ管理システムにおいてサーバに対してユーザ登録を行うときの動作を説明するためのフローチャート、（ｂ）はデータ管理システムにおいてユーザ認証を行うときの動作を説明するためのフローチャートである。
【図７】図２に示した表示装置に表示された認証用画面の一例を示す図である。
【図８】図１〜図５に示したデータ管理システムにおいてテレビジョン装置にて受信した放送信号から生成された動画像データをサーバに記憶させるときの動作を説明するためのシーケンス図である。
【図９】図１〜図５に示したデータ管理システムにおいて携帯電話機にて取得した音声データをサーバに記憶させるときの動作を説明するためのシーケンス図である。
【図１０】図１〜図５に示したデータ管理システムにおいてサーバに記憶されたデータに基づく情報をテレビジョン装置から出力するときの動作を説明するためのシーケンス図である。
【図１１】図２に示した表示装置に表示されたデータ一覧表示画面の一例を示す図である。
【図１２】図１〜図５に示したデータ管理システムにおいてサーバに記憶されたデータを削除するときの動作を説明するためのシーケンス図である。
【発明を実施するための形態】
【００１３】
以下に、本発明の実施の形態について図面を参照して説明する。
【００１４】
図１は、本発明のデータ管理システムの実施の一形態の構成を示すブロック図である。
【００１５】
本実施形態のデータ管理システムは図１に示すように、サーバ１０と、テレビジョン装置２０と、携帯電話機３０と、タブレット端末４０と、カーナビゲーション装置５０と、パーソナルコンピュータ６０とを備えている。
【００１６】
本実施形態では、図１に示したテレビジョン装置２０と、携帯電話機３０と、タブレット端末４０と、カーナビゲーション装置５０と、パーソナルコンピュータ６０とを電子機器の一例として示しているが、データ管理システムが備える電子機器は、これらのものに限定されない。なお、以降、テレビジョン装置２０と、携帯電話機３０と、タブレット端末４０と、カーナビゲーション装置５０と、パーソナルコンピュータ６０とのそれぞれを区別せずにいうときは電子機器という。
【００１７】
テレビジョン装置２０、携帯電話機３０、タブレット端末４０、カーナビゲーション装置５０およびパーソナルコンピュータ６０と、サーバ１０とは、インターネット１００を介して有線または無線通信にて接続可能となっている。
【００１８】
図２は、図１に示したテレビジョン装置２０の一構成例を示すブロック図である。
【００１９】
図１に示したテレビジョン装置２０は図２に示すように、セットトップボックス２０ａと、表示部である表示装置２０ｂとを備えている。また、セットトップボックス２０ａは、チューナー部２１と、操作部２２と、通信部２３と、制御部２４とを備えている。
【００２０】
チューナー部２１は、地上波デジタル放送や、ＢＳ（Ｂｒｏａｄｃａｓｔｉｎｇ  Ｓａｔｅｌｌｉｔｅ）放送や、ＣＳ（Ｃｏｍｍｕｎｉｃａｔｉｏｎ  Ｓａｔｅｌｌｉｔｅ）放送等の放送信号を受信する。そして、チューナー部２１は、受信した放送信号から、表示装置２０ｂにて表示することが可能な動画像データを生成する。つまり、テレビジョン装置２０は、受信した放送信号に基づき、動画像データを取得することができる。
【００２１】
表示装置２０ｂは、例えばＬＣＤ（Ｌｉｑｕｉｄ  Ｃｒｙｓｔａｌ  Ｄｉｓｐｌａｙ）を備えている。表示装置２０ｂは例えば、動画像データに基づく動画像や、静止画像データに基づく静止画像を表示する。また、表示装置２０ｂは、音声データに基づく音声や、動画像データに含まれる音声データに基づく音声を出力する。また、表示装置２０ｂは、データの所有者であるユーザ（以降、単にユーザという）からの各種指示や選択の入力を受け付けるための画面等を表示する。
【００２２】
操作部２２は、ユーザからの指示を受け付けるための各種のボタンやキーボード等を備えている。操作部２２は、各種指示や選択の入力をユーザから受け付け、受け付けた指示を示す情報や選択された内容を示す情報を制御部２４へ出力する。なお、操作部２２は、表示装置２０ｂに積層されたタッチパネルを備え、表示装置２０ｂに表示されたアイコン等が押下されることで各種指示や選択の入力を受け付けるものでもよい。また、操作部２２は、リモートコントローラ（不図示）からの信号を受信することにより、ユーザからの各種指示や選択の入力を受け付けるものでもよい。
【００２３】
通信部２３は、インターネット１００を介してサーバ１０との間でデータ等の送受信を行う。
【００２４】
制御部２４は、操作部２２から出力された情報を受け付ける。そして、制御部２４は、受け付けた情報が示す内容に応じたコマンドや、例えばチューナー部２１にて生成された動画像データを通信部２３を介してサーバ１０へ送信する。また、制御部２４は、サーバ１０から送信され、表示装置２０ｂに表示するための画面を示す画面情報を通信部２３を介して受信する。そして、制御部２４は、受信した画面情報が示す画面を表示装置２０ｂに表示させる。制御部２４が受信する画面情報の詳細については、後述する動作フローにて説明する。
【００２５】
なお、テレビジョン装置２０は、ＣＤ（Ｃｏｎｐａｃｔ  Ｄｉｓｋ）や、ＤＶＤ（Ｄｉｇｉｔａｌ  Ｖｅｒｓａｔｉｌｅ  Ｄｉｓｋ）、ブルーレイディスクの読み取りおよび書込みが可能であってもよい。
【００２６】
図３は、図１に示した携帯電話機３０の一構成例を示すブロック図である。タブレット端末４０、カーナビゲーション装置５０およびパーソナルコンピュータ６０も、携帯電話機３０の構成と同様である。なお、携帯電話機３０と、タブレット端末４０と、カーナビゲーション装置５０と、パーソナルコンピュータ６０のそれぞれが備える固有の機能や動作は、当業者によく知られているため、ここでは、それらの機能や動作については説明を省略する。
【００２７】
図１に示した携帯電話機３０は図３に示すように、表示部３１と、操作部３２と、通信部３３と、制御部３４と、音声出力部３５とを備えている。なお、操作部３２および通信部３３のそれぞれの構成は、上述した操作部２２および通信部２３のそれぞれの構成と同様なのでここでは説明を省略する。
【００２８】
表示部３１は、例えばＬＣＤを備えている。表示部３１は、動画像データに基づく動画像や、静止画像データに基づく静止画像を表示する。また、表示部３１は、ユーザからの各種指示や選択の入力を受け付けるための画面等を表示する。
【００２９】
音声出力部３５は、音声データに基づく音声や、動画像データに含まれる音声データに基づく音声を出力する。
【００３０】
制御部３４は、操作部３２から出力された情報を受け付ける。そして、制御部３４は、受け付けた情報が示す内容に応じたコマンドを通信部３３を介してサーバ１０へ送信する。また、制御部３４は、例えばインターネット１００上のＷｅｂサイトから通信部３３を介して複数の種類のデータ、例えば動画像データや、静止画像データ、音声データ等を受信する。そして、制御部３４は、受信したデータを通信部３３を介してサーバ１０へ送信する。また、制御部２４は、サーバ１０から送信され、表示部３１に表示するための画面を示す画面情報を通信部３３を介して受信する。そして、制御部３４は、受信した画面情報が示す画面を表示部３１に表示させる。
【００３１】
なお、携帯電話機３０やタブレット端末４０においては、被写体の画像を撮影する機能を備えた撮影部を有していてもよい。この場合、制御部３４は、撮影部にて撮影された画像の動画像データや静止画像データを通信部３３を介してサーバ１０に送信することができる。
【００３２】
また、パーソナルコンピュータ６０においては、上述したテレビジョン装置２０のように、チューナー部を有していてもよい。この場合、制御部３４は、チューナー部にて生成された動画像データを通信部３３を介してサーバ１０へ送信することができる。
【００３３】
図４は、図１に示したサーバ１０の一構成例を示すブロック図である。
【００３４】
図１に示したサーバ１０は図４に示すように、データ記憶部１１と、情報記憶部１２と、通信部１３と、制御部１４とを備えている。
【００３５】
通信部１３は、インターネット１００を介して電子機器との間でデータ等の送受信を行う。
【００３６】
制御部１４は、電子機器から送信されたコマンドや、データ等を通信部１３を介して受信する。そして、制御部１４は、受信したコマンドや、データ等に応じた動作を実行する。制御部１４の動作の詳細については、後述する動作フローにおいて説明する。
【００３７】
データ記憶部１１は、制御部１４にて受信されたデータを記憶する。
【００３８】
情報記憶部１２は、制御部１４にて受信されたデータを管理するためのデータ管理テーブルと、そのデータのユーザを管理するためのユーザ管理テーブルとを備えている。
【００３９】
図５は、図４に示した情報記憶部１２が備えるテーブルの一構成例を示す図であり、（ａ）はユーザ管理テーブルの一構成例を示す図、（ｂ）はデータ管理テーブルの一構成例を示す図である。
【００４０】
図５（ａ）を参照すると、ユーザ管理テーブルでは、ユーザを一意に識別する識別子であるユーザＩＤ（ＩＤｅｎｔｉｆｉｃａｔｉｏｎ）と、パスワードとが対応付けられて１つのレコードとして記憶されている。なお、パスワードは、後述するユーザ認証に用いられるものである。
【００４１】
図５（ｂ）を参照すると、データ管理テーブルでは、ユーザＩＤと、データの種類を示すデータ種別と、そのデータの内容を示し、そのデータの内容をユーザが判別可能な情報であるデータ情報と、データ記憶部１１においてそのデータが記憶されている記憶領域を示す記憶領域情報とが対応付けられて１つのレコードとして記憶されている。
【００４２】
なお、データ種別は、複数の種類のデータのうち、例えば、動画像データを「１」、静止画像データを「２」のように数字や記号で表される。また、記憶領域情報は例えば、そのデータが記憶された記憶領域の先頭のメモリアドレスである。
【００４３】
以下に、上記のように構成されたデータ管理システムの動作について説明する。
【００４４】
図６は、図１〜図５に示したデータ管理システムの動作を説明するためのフローチャートであり、（ａ）はデータ管理システムにおいてサーバ１０に対してユーザ登録を行うときの動作を説明するためのフローチャート、（ｂ）はデータ管理システムにおいてユーザ認証を行うときの動作を説明するためのフローチャートである。
【００４５】
なお、ここでは、ユーザがテレビジョン装置２０を操作する場合について説明するが、図１に示した複数の電子機器のうち、テレビジョン装置２０以外の電子機器をユーザが操作した場合も同様の動作となる。
【００４６】
まず、図６（ａ）を参照しながら、データ管理システムにおいてサーバ１０に対してユーザ登録を行うときの動作について説明する。
【００４７】
テレビジョン装置２０の操作部２２は、サーバ１０に対するユーザ登録の指示をユーザから受け付ける（ステップＳ１）。
【００４８】
サーバ１０に対するユーザ登録の指示をユーザから受け付けた操作部２２は、その旨を示すユーザ登録指示情報を制御部２４へ出力する。
【００４９】
操作部２２から出力されたユーザ登録指示情報を受け付けた制御部２４は、ユーザ登録要求コマンドを通信部２３を介してサーバ１０へ送信する。
【００５０】
サーバ１０の制御部１４は、テレビジョン装置２０から送信されたユーザ登録要求コマンドを通信部１３を介して受信する。そして、制御部１４は、ユーザ管理テーブルに記憶されたユーザＩＤと重複しないユーザＩＤを生成するとともに、例えば所定のルールに従ってパスワードを生成する（ステップＳ２）。
【００５１】
そして、制御部１４は、生成したユーザＩＤとパスワードとを対応付け、新たなレコードとしてユーザ管理テーブルに記憶させる（ステップＳ３）。
【００５２】
そして、制御部１４は、生成したユーザＩＤとパスワードとを、通信部１３を介してテレビジョン装置２０へ送信する。
【００５３】
テレビジョン装置２０の制御部２４は、サーバ１０から送信されたユーザＩＤとパスワードとを通信部２３を介して受信する。
【００５４】
そして、制御部２４は、受信したユーザＩＤとパスワードとを表示装置２０ｂに表示させる（ステップＳ４）。
【００５５】
また、制御部２４は、受信したユーザＩＤを記憶する（ステップＳ５）。なお、ユーザ登録は、１つの電子機器から複数回行うことが可能である。つまり、相互に異なる複数のユーザのそれぞれが１つの電子機器を用いてサーバ１０に対してユーザ登録を行うことが可能である。この場合、その電子機器には、複数のユーザＩＤが記憶されることになる。
【００５６】
次に、図６（ｂ）を参照しながら、データ管理システムにおいてユーザ認証を行うときの動作について説明する。
【００５７】
テレビジョン装置２０の操作部２２は、サーバ１０への接続の指示をユーザから受け付ける（ステップＳ１１）。
【００５８】
サーバ１０への接続の指示をユーザから受け付けた操作部２２は、その旨を示す接続指示情報を制御部２４へ出力する。
【００５９】
操作部２２から出力された接続指示情報を受け付けた制御部２４は、接続要求コマンドを通信部２３を介してサーバ１０へ送信する。
【００６０】
サーバ１０の制御部１４は、テレビジョン装置２０から送信された接続要求コマンドを通信部１３を介して受信する。そして、制御部１４は、ユーザ認証を行うための認証用画面を示す認証用画面情報を通信部１３を介してテレビジョン装置２０へ送信する。
【００６１】
テレビジョン装置２０の制御部２４は、サーバ１０から送信された認証用画面情報を通信部１３を介して受信する。
【００６２】
そして、制御部２４は、受信した認証用画面情報が示す認証用画面を表示装置２０ｂに表示させる（ステップＳ１２）。
【００６３】
図７は、図２に示した表示装置２０ｂに表示された認証用画面の一例を示す図である。
【００６４】
認証用画面１０１では図７に示すように、ユーザＩＤを選択するためのユーザＩＤ選択部分１０１ａが、リモートコントローラを用いた場合でも入力しやすいように、プルダウンメニューになっている。なお、ユーザＩＤ選択部分１０１ａに表示されるユーザＩＤは、制御部２４に記憶されているユーザＩＤである。また、ユーザは例えば、パスワード入力部分１０１ｂのカーソル１０１ｃを、リモートコントローラにおいてチャンネルを選択するためのボタンを押下して遷移させることによってパスワードの入力を行うことができる。
【００６５】
なお、図７に示した認証用画面は、ユーザがテレビジョン装置のリモートコントローラを用いて入力することを想定しているため、パスワード入力部分１０１ｂにおける数字の配列が１〜１２になっている。但し、図７に示した認証用画面１０１は一例であり、ユーザがボタンやキーボード等によって直接的にユーザＩＤやパスワードを入力できるような画面であってもよい。
【００６６】
また、携帯電話機３０等の場合、認証用画面は、表示部３１に表示されることになる。
【００６７】
再度、図６（ｂ）を参照すると、操作部２２は、ユーザＩＤとパスワードとの入力をユーザから受け付ける（ステップＳ１３）。そして、操作部２２は、受け付けたユーザＩＤとパスワードとを制御部２４へ出力する。
【００６８】
操作部２２から出力されたユーザＩＤとパスワードとを受け付けた制御部２４は、受け付けたユーザＩＤとパスワードとを通信部２３を介してサーバ１０へ送信する。
【００６９】
サーバ１０の制御部１４は、テレビジョン装置２０から送信されたユーザＩＤとパスワードとを通信部１３を介して受信する。
【００７０】
次に、制御部１４は、受信したユーザＩＤとパスワードとの組み合わせと一致するレコードがユーザ管理テーブルに記憶されているかどうかを確認する。すなわち、制御部１４は、テレビジョン装置２０にて受け付けられたユーザＩＤとパスワードとの組み合わせに一致するレコードがユーザ管理テーブルに記憶されているかどうかを確認する（ステップＳ１４）。
【００７１】
ステップＳ１４における確認の結果、受信したユーザＩＤとパスワードとの組み合わせと一致するレコードがユーザ管理テーブルに記憶されていない場合、制御部１４は、認証用画面情報を通信部１３を介してテレビジョン装置２０へ送信する。
【００７２】
テレビジョン装置２０の制御部２４は、サーバ１０から送信された認証用画面情報を通信部１３を介して受信する。そして、ステップＳ１２の動作へ遷移する。
【００７３】
一方、ステップＳ１４における確認の結果、受信したユーザＩＤとパスワードとの組み合わせと一致するレコードがユーザ管理テーブルに記憶されている場合、制御部１４は、そのユーザＩＤにて識別されるユーザに割り当てられた画面である個人用画面を示す個人用画面情報を通信部１３を介してテレビジョン装置２０へ送信する。
【００７４】
テレビジョン装置２０の制御部２４は、サーバ１０から送信された個人用画面情報を、通信部２３を介して受信する。
【００７５】
そして、制御部２４は、受信した個人用画面情報が示す個人用画面を表示装置２０ｂに表示させる（ステップＳ１５）。
【００７６】
次に、図１〜図５に示したデータ管理システムにおいてテレビジョン装置２０にて受信した放送信号から生成された動画像データをサーバ１０に記憶させるときの動作について説明する。
【００７７】
図８は、図１〜図５に示したデータ管理システムにおいてテレビジョン装置２０にて受信した放送信号から生成された動画像データをサーバ１０に記憶させるときの動作を説明するためのシーケンス図である。
【００７８】
ここでは、図６（ｂ）を参照しながら説明したフローにより、ユーザ認証が既にされているものとする。テレビジョン装置２０の制御部２４は、そのユーザのユーザＩＤを認証済ユーザＩＤとして記憶している。
【００７９】
テレビジョン装置２０の操作部２２は、録画予約の指示をユーザから受け付ける（ステップＳ２１）。
【００８０】
録画予約の指示をユーザから受け付けた操作部２２は、受け付けた録画予約の指示内容を示す録画予約指示情報を制御部２４へ出力する。なお、録画予約指示情報には例えば、録画開始時刻、録画終了時刻、録画予約の対象としてユーザに指定された番組名を示す情報等が含まれる。なお、ここでは、録画予約の対象としてユーザに指定された番組名等を示す情報が、上述したデータ情報であるものとする。
【００８１】
操作部２２から出力された録画予約指示情報を受け付けた制御部２４は、受け付けた録画予約指示情報が示す内容を記憶する。そして、制御部２４は、録画予約が完了したことを示す情報を表示装置２０ｂに表示させる（ステップＳ２２）。
【００８２】
そして、制御部２４は、記憶した録画開始時刻になると、チューナー部２１に放送信号の受信を開始させる（ステップＳ２３）。
【００８３】
そして、制御部２４は、記憶している認証済ユーザＩＤをユーザＩＤとし、記憶しているデータ情報およびチューナー部２１にて生成された動画像データとともに通信部２３を介してサーバ１０へ送信する（ステップＳ２４）。なお、ユーザは、
サーバ１０の制御部１４は、テレビジョン装置２０から送信されたユーザＩＤとデータ情報と動画像データとを通信部１３を介して受信する。
【００８４】
次に、制御部１４は、データ種別を判定する（ステップＳ２５）。なお、制御部１４は、ファイル形式等によってデータ種別を判定する。ここでは、動画像データと判定されることになる。
【００８５】
次に、制御部１４は、受信した動画像データのデータ記憶部１１への記憶を開始させる（ステップＳ２６）。
【００８６】
次に、制御部１４は、情報記憶部１２が備えるデータ管理テーブルに新たなレコードを追加する（ステップＳ２７）。具体的には、制御部１４は、受信したユーザＩＤと、受信したデータ情報と、ステップＳ２５にて判定されたデータ種別と、ステップＳ２６にてデータを記憶させた記憶領域を示す記憶領域情報とを対応付けてデータ管理テーブルに記憶させる。
【００８７】
その後、テレビジョン装置２０の制御部２４は、記憶している録画終了時刻になると、その旨を通知するための終了通知を通信部２３を介してサーバ１０へ送信する（ステップＳ２８）。
【００８８】
サーバ１０の制御部１４は、テレビジョン装置２０から送信された終了通知を通信部１３を介して受信する。そして、制御部１４は、データ記憶部１１への動画像データの記憶を終了させる（ステップＳ２９）。
【００８９】
なお、図８を参照しながら説明したシーケンスは、テレビジョン装置２０を、放送信号を受信することが可能なパーソナルコンピュータに置き換えた場合でも同様である。
【００９０】
次に、図１〜図５に示したデータ管理システムにおいて携帯電話機３０にて取得した音声データをサーバ１０に記憶させるときの動作について説明する。
【００９１】
図９は、図１〜図５に示したデータ管理システムにおいて携帯電話機３０にて取得した音声データをサーバ１０に記憶させるときの動作を説明するためのシーケンス図である。
【００９２】
ここでは、図６（ｂ）を参照しながら説明したフローにより、ユーザ認証が既にされているものとする。携帯電話機３０の制御部３４は、そのユーザのユーザＩＤを認証済ユーザＩＤとして記憶している。
【００９３】
携帯電話機３０の操作部３２は、例えばインターネット１００上のＷｅｂサイトからの音声データの取得の指示をユーザから受け付ける（ステップＳ４１）。
【００９４】
音声データの取得の指示をユーザから受け付けた操作部３２は、その音声データを示すデータ取得指示情報を制御部３４へ出力する。
【００９５】
操作部３２から出力されたデータ取得指示情報を受け付けた制御部３４は、受け付けたデータ取得指示情報が示す音声データを通信部３３を介して受信する。すなわち、制御部３４は、ユーザから取得を指示された音声データを取得する（ステップＳ４２）。
【００９６】
そして、制御部２４は、記憶している認証済ユーザＩＤをユーザＩＤとし、データ情報および受信した音声データとともに通信部２３を介してサーバ１０へ送信する（ステップＳ４３）。なお、ここでは、データ情報は例えば、受信した音声データのファイル名や、その音声データに含まれる音楽の演奏者や曲名を示す情報であり、ユーザが指定することが可能である。
【００９７】
サーバ１０の制御部１４は、携帯電話機３０から送信されたユーザＩＤとデータ情報と音声データとを通信部１３を介して受信する。
【００９８】
次に、制御部１４は、データ種別を判定する（ステップＳ４４）。ここでは、音声データであると判定されることになる。
【００９９】
次に、制御部１４は、受信した音声データをデータ記憶部１１に記憶させる（ステップＳ４５）。
【０１００】
次に、制御部１４は、情報記憶部１２が備えるデータ管理テーブルに新たなレコードを追加する（ステップＳ４６）。具体的には、制御部１４は、受信したユーザＩＤと、受信したデータ情報と、ステップＳ４４にて判定されたデータ種別と、ステップＳ４５にてデータを記憶させた記憶領域を示す記憶領域情報とを対応付けてデータ管理テーブルに記憶させる。
【０１０１】
そして、制御部１４は、データの記憶が完了したことを示す記憶完了通知を、通信部１３を介して携帯電話機３０へ送信する（ステップ４７）。
【０１０２】
携帯電話機３０の制御部３４は、サーバ１０から送信された記憶完了通知を通信部３３を介して受信する。そして、制御部３４は、データの記憶が完了したことを示す情報を表示部３１に表示させる（ステップＳ４８）。
【０１０３】
なお、図９を参照しながら説明したシーケンスは、携帯電話機３０において音声データ以外の種類のデータ、例えば動画像データや静止画像データを取得したときも同様である。また、図９を参照しながら説明したシーケンスは、タブレット端末４０、カーナビゲーション装置５０およびパーソナルコンピュータ６０において、音声データ等を取得したときも同様である。
【０１０４】
次に、図１〜図５に示したデータ管理システムにおいてサーバ１０に記憶されたデータに基づく情報を電子機器から出力するときの動作について説明する。
【０１０５】
なお、ここでは、サーバ１０に記憶されたデータに基づく情報をテレビジョン装置２０から出力するときの動作について説明する。但し、図１に示した複数の電子機器のうち、テレビジョン装置２０以外の電子機器から、サーバ１０に記憶されたデータに基づく情報を出力する場合も同様の動作となる。
【０１０６】
図１０は、図１〜図５に示したデータ管理システムにおいてサーバ１０に記憶されたデータに基づく情報をテレビジョン装置２０から出力するときの動作を説明するためのシーケンス図である。
【０１０７】
ここでは、図６（ｂ）を参照しながら説明したフローにより、ユーザ認証が既にされているものとする。テレビジョン装置２０の制御部２４は、そのユーザのユーザＩＤを認証済ユーザＩＤとして記憶している。
【０１０８】
テレビジョン装置２０の操作部２２は、データ一覧の表示の指示をユーザから受け付ける（ステップＳ６１）。なお、データ一覧の表示の指示の受け付けは例えば、上述した個人用画面から行うことができる。
【０１０９】
データ一覧の要求の指示をユーザから受け付けた操作部２２は、データ一覧表示指示情報を制御部２４へ出力する。
【０１１０】
操作部２２から出力されたデータ一覧指示情報を受け付けた制御部２４は、記憶している認証済ユーザＩＤをユーザＩＤとして付加したデータ一覧要求コマンドをサーバ１０へ送信する（ステップＳ６２）。
【０１１１】
サーバ１０の制御部１４は、テレビジョン装置２０から送信されたデータ一覧要求コマンドを通信部１３を介して受信する。
【０１１２】
次に、制御部１４は、受信したデータ一覧要求コマンドに付加されたユーザＩＤに対応するデータ情報およびデータ種別を、情報記憶部１２に記憶されたデータ管理テーブルから取得する（ステップＳ６３）。
【０１１３】
そして、制御部１４は、取得したデータ情報およびデータ種別と、取得したデータ情報を表示するためのデータ一覧表示画面を示すデータ一覧表示画面情報とを通信部１３を介してテレビジョン装置２０へ送信する（ステップＳ６４）。
【０１１４】
テレビジョン装置２０の制御部２４は、サーバ１０から送信されたデータ情報およびデータ種別とデータ一覧表示画面情報とを通信部２３を介して受信する。
【０１１５】
そして、制御部２４は、受信したデータ情報を、受信したデータ一覧表示画面情報が示すデータ一覧表示画面に含めて表示装置２０ｂに表示させる（ステップＳ６５）。
【０１１６】
図１１は、図２に示した表示装置２０ｂに表示されたデータ一覧表示画面の一例を示す図である。
【０１１７】
図１１を参照すると、データ一覧表示画面１０２には、制御部２４にて受信されたデータ情報がデータ種別が示す種類毎に表示されている。ユーザは、操作部２２を操作することにより、データ情報を選択する。なお、選択されているデータ情報は、データ情報１０２ａとして示しているように、例えば反転表示される。また、データ一覧表示画面１０２には、出力指示ボタン１０２ｂと削除指示ボタン１０２ｃとが表示されている。ユーザは、操作部２２を操作して出力指示ボタン１０２ｂや削除指示ボタン１０２ｃを選択することにより、選択されているデータ情報のデータの出力や削除を指示することができる。
【０１１８】
なお、携帯電話機３０等の場合、認証用画面は、表示部３１に表示されることになる。
【０１１９】
再度、図１０を参照すると、次に、操作部２２は、表示装置２０ｂに表示されたデータ情報の選択と、選択されているデータ情報のデータの出力の指示を受け付ける（ステップＳ６６）。
【０１２０】
そして、操作部２２は、選択されたデータ情報を含み、データの出力の指示を受け付けたことを示すデータ出力指示情報を制御部２４へ出力する。
【０１２１】
操作部２２から出力されたデータ出力指示情報を受け付けた制御部２４は、受け付けたデータ出力指示情報に含まれるデータ情報を含むデータ出力要求コマンドを通信部２３を介してサーバ１０へ送信する（ステップＳ６７）。
【０１２２】
サーバ１０の制御部１４は、テレビジョン装置２０から送信されたデータ出力要求コマンドを通信部１３を介して受信する。
【０１２３】
次に、制御部１４は、データ管理テーブルから、受け付けたデータ出力要求コマンドに含まれるデータ情報に対応する記憶領域情報を取得する。
【０１２４】
次に、制御部１４は、取得した記憶領域情報が示す記憶領域に記憶されているデータをデータ記憶部１１から取得する（ステップＳ６８）。
【０１２５】
そして、制御部１４は、取得したデータを通信部１３を介してテレビジョン装置２０へ送信する（ステップＳ６９）。なお、取得したデータが動画像データまたは音声データである場合、制御部１４は、取得したデータの配信を開始する。
【０１２６】
テレビジョン装置２０の制御部２４は、サーバ１０から送信されたデータを通信部２３を介して受信する。
【０１２７】
そして、制御部２４は、受信したデータを表示装置２０ｂに出力させる（ステップＳ７０）。なお、受信されたデータが音声データを含む動画像データである場合、制御部２４は、受信した動画像データに基づく動画像を表示装置２０ｂに表示させるとともに音声を出力させる。また、受信されたデータが音声データである場合、制御部２４は、受信した音声データに基づく音声を表示装置２０ｂに出力させる。
【０１２８】
次に、図１〜図５に示したデータ管理システムにおいてサーバ１０に記憶されたデータを削除するときの動作について説明する。
【０１２９】
なお、ここでは、ユーザがテレビジョン装置２０を操作することにより、サーバ１０に記憶されたデータを削除するときの動作について説明する。但し、図１に示した複数の電子機器のうち、ユーザがテレビジョン装置２０以外の電子機器を操作することにより、サーバ１０に記憶されたデータを削除する場合も同様の動作となる。
【０１３０】
図１２は、図１〜図５に示したデータ管理システムにおいてサーバ１０に記憶されたデータを削除するときの動作を説明するためのシーケンス図である。
【０１３１】
図１２に示したステップＳ８１〜８５までの動作は、図１０を参照しながら説明したステップＳ６１〜Ｓ６５までの動作と同様なので、ここでは説明を省略する。
【０１３２】
操作部２２は、表示装置２０ｂに表示されたデータ情報の選択と、選択されているデータ情報のデータの削除の指示を受け付ける（ステップＳ８６）。
【０１３３】
そして、操作部２２は、選択されたデータ情報を含み、データの削除の指示を受け付けたことを示すデータ削除出力指示情報を制御部２４へ出力する。
【０１３４】
操作部２２から出力されたデータ削除指示情報を受け付けた制御部２４は、受け付けたデータ削除指示情報に含まれるデータ情報を含むデータ削除要求コマンドを通信部２３を介してサーバ１０へ送信する（ステップＳ８７）。
【０１３５】
サーバ１０の制御部１４は、テレビジョン装置２０から送信されたデータ削除要求コマンドを通信部１３を介して受信する。
【０１３６】
次に、制御部１４は、データ管理テーブルから、受け付けたデータ削除要求コマンドに含まれるデータ情報に対応する記憶領域情報を取得する。
【０１３７】
次に、制御部１４は、取得した記憶領域情報が示す記憶領域に記憶されているデータをデータ記憶部１１から削除する（ステップＳ８８）。
【０１３８】
そして、制御部１４は、データの削除が完了したことを示す削除完了通知を通信部１３を介してテレビジョン装置２０へ送信する（ステップＳ８９）。
【０１３９】
テレビジョン装置２０の制御部２４は、サーバ１０から送信された削除完了通知を通信部２３を介して受信する。
【０１４０】
そして、制御部２４は、データの削除が完了したことを示す情報を表示装置２０ｂに表示させる（ステップＳ９０）。
【０１４１】
このように本実施形態において、複数の電子機器のそれぞれは、データを取得すると、そのデータと、そのデータの所有者がそのデータの内容を判別可能に指定したデータ情報と、当該所有者を識別する識別子とをサーバ１０へ送信する。
【０１４２】
サーバ１０は、複数の電子機器のそれぞれから送信されたデータとデータ情報と識別子とを受信し、受信したデータとデータ情報と識別子とを対応付けて記憶する。
【０１４３】
そして、複数の電子機器のそれぞれは、識別子をサーバ１０へ送信する。
【０１４４】
サーバ１０は、複数の電子機器のそれぞれから送信された識別子を受信すると、受信した識別子に対応付けられたデータ情報を当該電子機器へ送信する。
【０１４５】
複数の電子機器のそれぞれは、サーバ１０から送信されたデータ情報を受信すると、受信したデータ情報を表示部に表示させる。
【０１４６】
これにより、個人が所有する複数の種類のデータの管理を容易なものにするとともに、それらのデータの安全性を十分に確保することを可能となる。
【０１４７】
なお、本実施形態においては、図１１に示したように、ユーザが所有しているすべてのデータの一覧を、データの種類毎に表示する場合について説明した。これ以外にも、ユーザが所有しているデータのうち、少なくとも１つの種類のデータだけを電子機器に表示させることも可能である。この場合、図１０および図１２に示したシーケンスにおいて、データ一覧要求コマンドにデータ種別を含めるようにすればよい。または、データ一覧要求コマンドにデータ種別を含めなくても、データ一覧表示画面を表示する際に、ユーザがデータ種別を選択できるようにしておけばよい。
【符号の説明】
【０１４８】
１０    サーバ
１１    データ記憶部
１２    情報記憶部
１３，２３，３３    通信部
１４，２４，３４    制御部
２０    テレビジョン装置
２０ａ    セットトップボックス
２０ｂ    表示装置
２１    チューナー部
２２，３２    操作部
３０    携帯電話機
３１    表示部
３５    音声出力部
４０    タブレット端末
５０    カーナビゲーション装置
６０    パーソナルコンピュータ
１０１    認証用画面
１０１ａ    ユーザＩＤ選択部分
１０１ｂ    パスワード入力部分
１０１ｃ    カーソル
１０２    データ一覧表示画面
１０２ａ    データ情報
１０２ｂ    出力指示ボタン
１０２ｃ    削除指示ボタン
【図１】
2013137667.tif 000003
【図２】
2013137667.tif 000004
【図３】
2013137667.tif 000005
【図４】
2013137667.tif 000006
【図５】
2013137667.tif 000007
【図６】
2013137667.tif 000008
【図７】
2013137667.tif 000009
【図８】
2013137667.tif 000010
【図９】
2013137667.tif 000011
【図１０】
2013137667.tif 000012
【図１１】
2013137667.tif 000013
【図１２】
2013137667.tif 000014